(57)【要約】【課題】安価かつ簡素な構成で外装カバーに対する保護カバーの保持力を向上させ、かつ静電気による電気制御部の動作不良の発生を低減させること。【解決手段】記録材に画像を形成する画像形成装置において、ユーザによって操作される操作部と、情報を表示する表示面を有する表示部と、開口部を有する外装カバーと、前記表示部の表示面を覆うように前記外装カバーに配置され、前記開口部に挿入される凸部を一端に有する保護カバーと、前記保護カバーの一端と反対側の他端において、前記外装カバー又は前記表示部に前記保護カバーを接合する接合部材と、前記外装カバーの開口部に挿入された前記保護カバーの凸部に接触し、前記保護カバーを付勢する付勢部材と、を備え、前記付勢部材は、導電性を有する部材で構成され、グランドに接続されている。【選択図】    図４
2020190668.tif 000002
【特許請求の範囲】
【請求項１】
記録材に画像を形成する画像形成装置において、
ユーザによって操作される操作部と、
情報を表示する表示面を有する表示部と、
開口部を有する外装カバーと、
前記表示部の表示面を覆うように前記外装カバーに配置され、前記開口部に挿入される凸部を一端に有する保護カバーと、
前記保護カバーの一端と反対側の他端において、前記外装カバー又は前記表示部に前記保護カバーを接合する接合部材と、
前記外装カバーの開口部に挿入された前記保護カバーの凸部に接触し、前記保護カバーを付勢する付勢部材と、
を備え、
前記付勢部材は、導電性を有する部材で構成され、グランドに接続されていることを特徴とする画像形成装置。
【請求項２】
前記接合部材は、前記外装カバー又は前記表示部に対して前記保護カバーを接着する接着部材であることを特徴とする請求項１に記載の画像形成装置。
【請求項３】
記録材に画像を形成する画像形成装置において、
ユーザによって操作される操作部と、
情報を表示する表示面を有する表示部と、
開口部を有する外装カバーと、
前記表示部の表示面を覆うように前記外装カバーに配置され、前記開口部に挿入される凸部を一端に有する保護カバーと、
前記外装カバーの開口部に挿入された前記保護カバーの凸部に接触し、前記保護カバーを付勢する付勢部材と、
を備え、
前記保護カバーは、前記保護カバーの一端と反対側の他端において、爪部を有し、前記爪部は、前記外装カバーの係合部と係合することで前記保護カバーを前記外装カバーに係止し、
前記付勢部材は、導電性を有する部材で構成され、グランドに接続されていることを特徴とする画像形成装置。
【請求項４】
前記付勢部材は、弾性力を持ち、前記外装カバーに対して前記保護カバーの凸部を付勢するバネであることを特徴とする請求項１乃至３のいずれか１項に記載の画像形成装置。
【請求項５】
前記付勢部材により前記外装カバーに対して前記保護カバーを付勢する方向は、前記外装カバーが受ける外力に抗する方向であることを特徴とする請求項１乃至４のいずれか１項に記載の画像形成装置。
【請求項６】
前記付勢部材は、前記保護カバーの凸部と接触する接触部から、前記表示部が位置する側に向けて延長された延長部を有することを特徴とする請求項１乃至５のいずれか１項に記載の画像形成装置。
【発明の詳細な説明】
【技術分野】
【０００１】
本発明は、表示部を備えた複写機、プリンタ、ファクシミリ装置などの画像形成装置に関するものである。
【背景技術】
【０００２】
従来の画像形成装置は、画像形成装置本体に、ユーザーインターフェースとしてオペレーションパネルを設置したものがある。オペレーションパネルの多くは表示部と操作部を持ち、表示部には汚れや故障を防止するために前面に透明な樹脂板などの保護カバーが設けられている。保護カバーをオペレーションパネルに保持する保持方法については、引掛け爪を係合させた構成や両面テープで接着した構成などが知られている。
【０００３】
特許文献１に記載された表示装置は、表面の反応部への接触により入力操作が行われるオペレーションパネルと、オペレーションパネルを外装カバーに設けた位置決め部に向けて付勢する付勢部材とを備えている。そして、オペレーションパネルは、付勢部材によって、外装カバーに設けた位置決め部に向けて付勢され、外装カバーに対して位置決めされる。さらに、オペレーションパネルの表面の反応部を覆う保護カバーを備えている。
【先行技術文献】
【特許文献】
【０００４】
【特許文献１】特開２０１３−０７７１８５号公報
【発明の概要】
【発明が解決しようとする課題】
【０００５】
しかしながら、オペレーションパネルはユーザが操作時に触れる可能性のある箇所であるため、保護カバーに予期せぬ外力がかかる場合がある。この外力により、オペレーションパネルの前面に設置された保護カバーが外れてしまうという課題があった。
【０００６】
さらに、保護カバーが設置されたオペレーションパネルの近傍には、通常、オペレーションパネルの動作を制御するための電気制御部が配置されている。このため、ユーザが静電気を帯びた指で保護カバーに触れた場合、保護カバーの近傍から回り込んだ静電気が電気制御部まで伝達し、動作不良が発生する可能性があった。
【０００７】
そこで、本発明の目的は、安価かつ簡素な構成で外装カバーに対する保護カバーの保持力を向上させ、かつ静電気による電気制御部の動作不良の発生を低減させることである。
【課題を解決するための手段】
【０００８】
上記目的を達成するため、本発明は、記録材に画像を形成する画像形成装置において、ユーザによって操作される操作部と、情報を表示する表示面を有する表示部と、開口部を有する外装カバーと、前記表示部の表示面を覆うように前記外装カバーに配置され、前記開口部に挿入される凸部を一端に有する保護カバーと、前記保護カバーの一端と反対側の他端において前記外装カバー又は前記表示部に前記保護カバーを接合する接合部材と、前記外装カバーの開口部に挿入された前記保護カバーの凸部に接触し、前記保護カバーを付勢する付勢部材と、を備え、前記付勢部材は、導電性を有する部材で構成され、グランドに接続されていることを特徴とする。
【発明の効果】
【０００９】
本発明によれば、安価かつ簡素な構成で外装カバーに対する保護カバーの保持力を向上させ、かつ静電気による電気制御部の動作不良の発生を低減させることが可能である。
【図面の簡単な説明】
【００１０】
【図１】画像形成装置の断面図
【図２】画像形成装置の斜視図
【図３】実施例１に係る画像形成装置のオペレーションパネル近傍の構成を示す斜視図
【図４】実施例１に係る画像形成装置のオペレーションパネル近傍の断面図
【図５】実施例１に係る画像形成装置のオペレーションパネル近傍の断面図
【図６】実施例２に係る画像形成装置のオペレーションパネル近傍の構成を示す斜視図
【図７】実施例２に係る画像形成装置のオペレーションパネル近傍の断面図
【図８】実施例２に係る画像形成装置のオペレーションパネル近傍の断面図
【発明を実施するための形態】
【００１１】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、本発明の範囲をそれらのみに限定する趣旨のものではない。
【００１２】
〔実施例１〕
図１、図２、図３、図４、図５を用いて、実施例１に係る画像形成装置について説明する。
【００１３】
まず図１を用いて、実施例１に係る画像形成装置の概略構成について説明する。図１は実施例１に係る画像形成装置の概略断面図である。ここでは、記録材Ｐに電子写真方式で画像形成を行う画像形成装置１００を例示している。
【００１４】
画像形成装置１００は、記録材Ｐを積載収容することが可能な記録材収容部としての給送カセット１０４を備えている。給送カセット１０４は画像形成装置本体１０１に対して着脱可能に構成されている。プリント開始信号により給送カセット１０４に積載された記録材Ｐは一枚ずつ下流側に搬送される。
【００１５】
画像形成装置１００は、画像形成装置本体１０１に対して着脱可能なプロセスカートリッジ１０３を備えている。プロセスカートリッジ１０３は、像担持体としての感光ドラム１０３ａ、帯電部としての帯電ローラ１０３ｂ、現像部としての現像ローラ１０３ｃ等から構成される。転写ローラ１０６は、感光ドラム１０３ａに向けて付勢され、感光ドラム１０３ａの回転に対して従動回転する。トナー像が現像された感光ドラム１０３ａと転写ローラ１０６が、給送カセット１０４から搬送された記録材Ｐを狭持することにより記録材Ｐにトナー像が転写される。
【００１６】
定着部としての定着装置１０８は、記録材Ｐを加熱、加圧し、記録材Ｐに転写されたトナー像を記録材Ｐに定着させる。トナー像が定着された記録材Ｐはシート搬送路１０９を通って、排出口１１０に設けられた排出ローラ対１１１によって排出される。排出された記録材Ｐは積載手段としての排出トレイ１１２上に積載される。
【００１７】
画像形成装置本体１０１の上方にはユーザーインターフェースとしてオペレーションパネルユニット２００が設置されている。なお本実施例では一例として、オペレーションパネルユニット２００が画像形成装置本体１０１の上方に設置される場合を例示しているが、これに限定されるものではない。例えば、オペレーションパネルユニット２００が画像形成装置本体１０１の側面部や付属装置の一部など、上方以外に設置されている構成の場合にも同様の構成をとることができる。
【００１８】
次に図２、図３、図４、図５を用いて実施例１に係るオペレーションパネルユニット２００について説明する。図２はオペレーションパネルユニット２００の近傍を表した概略斜視図であり、図３はオペレーションパネルユニット２００の部品構成を説明するための概略斜視図である。また図４、図５はオペレーションパネルユニット２００を図２の矢印Ａ方向から見た場合の概略断面図である。
【００１９】
オペレーションパネルユニット２００はフレームとしての外装カバー２０１を備えている。外装カバー２０１は、画像形成装置本体１０１の上部に配置されている。図４及び５に示すように外装カバー２０１には、ユーザによって操作される操作部２０３と、情報を表示する表示面を有する表示部２０２が配置されている。操作部２０３と表示部２０２は、画像形成装置本体１０１に保持されている。外装カバー２０１は、少なくとも一つの開口部２０１ａを持っている。ここでは、外装カバー２０１が２つの開口部２０１ａを有する構成を例示している。表示部２０２の裏面（画像形成装置本体１０１の内側に位置する面）には、表示部２０２及び操作部２０３の動作を制御する電気制御部２０４が配置されている。
【００２０】
表示部２０２の表面（画像形成装置本体１０１の外側に位置する面）には、保護カバー２０５が配置されている。ここで、表示部２０２の表面は情報が表示される表示面を備え、保護カバー２０５は表示部２０２の表示面を覆うように外装カバー２０１に配置されている。図３に示すように、保護カバー２０５は開口部２０１ａに対応する数の凸部２０５ａを備え、凸部２０５ａは外装カバー２０１の開口部２０１ａに対応する位置に設けられている。したがって、ここでは、保護カバー２０５が２つの凸部２０５ａを有する構成を例示している。保護カバー２０５が一端に有する２つの凸部２０５ａは、それぞれ矢印Ｄに表されるように、外装カバー２０１が有する２つの開口部２０１ａに挿入される。また、保護カバー２０５は、表示部２０２を介して、凸部２０５ａとは反対側の端部（他端）に、接合部材により外装カバー２０１と接合される接合部２０５ｂを有している。保護カバー２０５の接合部２０５ｂと外装カバー２０１の間には、保護カバー２０５を外装カバー２０１と接合する接合部材としての両面テープ２０６が介在しており、外装カバー２０１に対して保護カバー２０５を保持している。両面テープ２０６は、外装カバー２０１に対して保護カバー２０５を接着する接着部材である。
【００２１】
図４に示すように、外装カバー２０１の内側には、保護カバー２０５に接触し、保護カバー２０５を付勢する付勢部材としての接点バネ２０７が配置されている。接点バネ２０７は、弾性力を持ち、外装カバー２０１に対して保護カバー２０５の凸部２０５ａを付勢するバネであり、導電性を有する板状の部材である。接点バネ２０７は、外装カバー２０１に固定される固定部２０７ｄと、外装カバー２０１の開口部２０１ａに挿入された保護カバー２０５の凸部２０５ａに接触し付勢する付勢部（接触部）２０７ａと、を有している。接点バネ２０７は、保護カバー２０５の凸部２０５ａにおいて、外装カバー２０１に接する部分（開口部上面２０１ｂ）よりも外装カバー２０１の開口部２０１ａから挿入された先端側に接触している。
【００２２】
接点バネ２０７は、外装カバー２０１に固定部２０７ｄで固定され、付勢部２０７ａで保護カバー２０５の凸部２０５ａを外装カバーの開口部上面２０１ｂに押圧する向きである矢印Ｂ方向に付勢し、保護カバー２０５を外装カバー２０１に対して保持している。これによって保護カバー２０５と外装カバー２０１の間には両面テープ２０６による接着力と接点バネ２０７による付勢力が働く。すなわち、接点バネ２０７により外装カバー２０１に対して保護カバー２０５を付勢する方向（矢印Ｂ方向）は、外装カバー２０１が受ける外力に抗する方向である。このため、外装カバー２０１が矢印Ｃ方向の外力を受けた際に、保護カバー２０５が外装カバー２０１から外れる可能性を低減することができる。
【００２３】
また前述したように、接点バネ２０７は、保護カバー２０５の凸部２０５ａの外装カバー２０１の開口部２０１ａよりも先端側を矢印Ｂ方向に付勢する。このため、保護カバー２０５が有する凸部２０５ａとは反対側の接合部２０５ｂには、外装カバー２０１の開口部上面２０１ｂを支点に矢印Ｃ方向に力が働く。すなわち、接点バネ２０７により外装カバー２０１に対して保護カバー２０５の凸部２０５ａを付勢することにより、凸部２０５ａが外装カバーに接する部分を支点にして、保護カバー２０５の接合部２０５ｂには外装カバー２０１に押し付けられる力が働く。これにより、保護カバー２０５は接合部２０５ｂで外装カバー２０１に押し付けられるようになり、保護カバー２０５と外装カバー２０１の間に介在する両面テープ２０６による接着力と相まって、保護カバー２０５を保持するのにさらに有利になる。
【００２４】
また接点バネ２０７は、保護カバー２０５の凸部２０５ａと接触する接触部以外の一部が画像形成装置のグランドに接続されている。すなわち、接点バネ２０７は、付勢部２０７ａとは別に、画像形成装置のグランドに接続されるアース接続部２０７ｂを備えている。アース接続部２０７ｂは不図示の導通部材と接続されており、保護カバー２０５の近傍から静電気が伝達された際に、その静電気を画像形成装置本体１０１のグランドに落とすことができるよう配置されている。これによってユーザが静電気を帯びた手で保護カバー２０５に触れた場合でも、静電気が電気制御部２０４に流れることがなくなるため、静電気が原因での電気制御部２０４の動作不良を低減することができる。
【００２５】
さらに図５に示すように、接点バネ２０７に付勢部２０７ａを延長した延長部２０７ｃを設けても良い。延長部２０７ｃは、保護カバー２０５の凸部２０５ａと接触する接触部である付勢部２０７ａから、表示部２０２が位置する側に向けて延長されている。このように接点バネ２０７に延長部２０７ｃを設けて、広い範囲の静電気をグランドに落とすことが可能な形状とすることで、さらに電気制御部２０４の動作不良の発生を低減することも可能である。
【００２６】
上述したように、本実施例によれば、安価かつ簡素な構成で外装カバー２０１に対する保護カバー２０５の保持力を向上させ、かつ静電気による電気制御部２０４の動作不良の発生を低減させることが可能である。
【００２７】
なお、本実施例では保護カバー２０５を外装カバー２０１に接合する接合部材として両面テープ２０６を用いたが、これに限定されるものではない。例えば接合部材として接着剤等の別の接着部材を用いる場合や、保護カバー２０５を外装カバー２０１へ保持するためのロック部材などを用いる場合などでも同様の効果を得ることができる。加えて、本実施例では両面テープ２０６を用いて保護カバー２０５を外装カバー２０１に接合したが、これに限定されるものではなく、保護カバー２０５を表示部２０２に接合してもよい。
【００２８】
また、本実施例では付勢部材として、保護カバー２０５の付勢及び静電気対策に導電性を有する板状の弾性部材である接点バネ２０７を用いたが、これに限定されるものではない。例えば、金属製のねじりコイルバネや圧縮バネなど、導電性を有する別の付勢部材を用いた場合でも同様の効果を得ることができる。
【００２９】
〔実施例２〕
次に図２、図６、図７、図８を用いて、実施例２に係る画像形成装置について説明する。なお、画像形成装置の概略構成は、オペレーションパネルユニット２００近傍の構成の除き、前述した実施例と同様であるため、同等の機能を有する部材には同一の符号を付して説明を省略する。
【００３０】
次に図２、図６、図７、図８を用いて実施例２に係るオペレーションパネルユニット２００について説明する。図２はオペレーションパネルユニット２００の近傍を表した概略斜視図であり、図６はオペレーションパネルユニット２００の部品構成を説明するための概略斜視図である。また図７はオペレーションパネルユニット２００を図２の矢印Ａ方向から見た場合の概略断面図である。
【００３１】
オペレーションパネルユニット２００はフレームとしての外装カバー２０１を備えている。外装カバー２０１は、画像形成装置本体１０１の上部に配置されている。外装カバー２０１の内側には、外装カバー２０１に保持される形で表示部２０２と操作部２０３が配置されている。ユーザによって操作される操作部２０３と、情報を表示する表示面を有する表示部２０２が配置されている。操作部２０３と表示部２０２は、画像形成装置本体１０１に保持されている。外装カバー２０１は、少なくとも一つの開口部２０１ａを持っている。ここでは、外装カバー２０１が２つの開口部２０１ａを有する構成を例示している。表示部２０２には、表示部２０２及び操作部２０３の動作を制御する電気制御部２０４が配置されている。
【００３２】
表示部２０２の表面には、保護カバー２０５が配置されている。ここで、表示部２０２の表面は情報が表示される表示面を備え、保護カバー２０５は表示部２０２の表示面を覆うように外装カバー２０１に配置されている。図６に示すように、保護カバー２０５は開口部２０１ａに対応する数の凸部２０５ａを備え、凸部２０５ａは外装カバー２０１の開口部２０１ａに対応する位置に設けられている。したがって、ここでは、保護カバー２０５が２つの凸部２０５ａを有する構成を例示している。図６に示すように、保護カバー２０５が一端に有する２つの凸部２０５ａは、それぞれ矢印Ｄに表されるように、外装カバー２０１が有する２つの開口部２０１ａに挿入される。本実施例では、保護カバー２０５は、表示部２０２を介して、凸部２０５ａとは反対側の端部（他端）に、保護カバー２０５を外装カバー２０１に係止する爪部２０５ｃを備えた接合部（接合部材）２０５ｂを有している。爪部２０５ｃは、弾性を持ち、保護カバー２０５を外装カバー２０１に組み付ける際にたわんで外装カバー２０１の係合部２０１ｃと接合する。保護カバー２０５は凸部２０５ａと爪部２０５ｃによって外装カバー２０１に保持される。このように保護カバー２０５に凸部２０５ａ及び爪部２０５ｃを備えた構成をとることにより、少ない部品点数で保護カバー２０５を外装カバー２０１に保持することができる。
【００３３】
図７に示すように、外装カバー２０１の内側には、保護カバー２０５に接触し、保護カバー２０５を付勢する付勢部材としての接点バネ２０７が配置されている。接点バネ２０７は、外装カバー２０１に対して保護カバー２０５の凸部２０５ａを付勢するバネであり、導電性を有する板状の部材である。接点バネ２０７は、外装カバー２０１に固定される固定部２０７ｄと、外装カバー２０１の開口部２０１ａに挿入された保護カバー２０５の凸部２０５ａに接触し付勢する付勢部（接触部）２０７ａと、を有している。接点バネ２０７は、保護カバー２０５の凸部２０５ａにおいて、外装カバー２０１に接する部分（開口部上面２０１ｂ）よりも外装カバー２０１の開口部２０１ａから挿入された先端側に接触している。
【００３４】
接点バネ２０７は、外装カバー２０１に固定部２０７ｄで固定され、付勢部２０７ａで保護カバー２０５の凸部２０５ａを外装カバーの開口部上面２０１ｂに押圧する向きである矢印Ｂ方向に付勢し、保護カバー２０５を外装カバー２０１に対して保持している。これによって保護カバー２０５と外装カバー２０１の間には爪部２０５ｃによる保持力と接点バネ２０７による付勢力が働く。すなわち、接点バネ２０７により外装カバー２０１に対して保護カバー２０５を付勢する方向（矢印Ｂ方向）は、外装カバー２０１が受ける外力に抗する方向である。このため、外装カバー２０１が矢印Ｃ方向の外力を受けた際に、保護カバー２０５が外装カバー２０１から外れる可能性を低減することができる。
【００３５】
また前述したように、接点バネ２０７は、保護カバー２０５の凸部２０５ａの外装カバー２０１の開口部２０１ａよりも先端側を矢印Ｂ方向に付勢する。このため、保護カバー２０５が有する凸部２０５ａとは反対側の接合部２０５ｂには、外装カバー２０１の開口部上面２０１ｂを支点に矢印Ｃ方向に力が働く。すなわち、接点バネ２０７により外装カバー２０１に対して保護カバー２０５の凸部２０５ａを付勢することにより、凸部２０５ａが外装カバーに接する部分を支点にして、保護カバー２０５の接合部２０５ｂには外装カバー２０１に押し付けられる力が働く。これにより、保護カバー２０５は接合部２０５ｂで外装カバー２０１に押し付けられるようになり、保護カバー２０５を保持するのにさらに有利になる。
【００３６】
また接点バネ２０７は、保護カバー２０５の凸部２０５ａと接触する接触部以外の一部が画像形成装置のグランドに接続されている。すなわち、接点バネ２０７は、付勢部２０７ａとは別に、画像形成装置のグランドに接続されるアース接続部２０７ｂを備えている。アース接続部２０７ｂは不図示の導通部材と接続されており、保護カバー２０５の近傍から静電気が伝達した際に、その静電気を画像形成装置本体１０１のグランドに落とすことができるよう配置されている。これによってユーザが静電気を帯びた手で保護カバー２０５に触れた場合でも、静電気が電気制御部２０４に流れることがなくなるため、静電気が原因での電気制御部２０４の動作不良の可能性を低減することができる。
【００３７】
さらに図８に示すように、接点バネ２０７に付勢部２０７ａを延長した延長部２０７ｃを設けても良い。延長部２０７ｃは、保護カバー２０５の凸部２０５ａと接触する接触部である付勢部２０７ａから、表示部２０２が位置する側に向けて延長されている。このように接点バネ２０７に延長部２０７ｃを設けて、広い範囲の静電気をグランドに落とすことが可能な形状とすることで、さらに電気制御部２０４の動作不良の発生を低減することも可能である。
【００３８】
上述したように、本実施例によれば、安価かつ簡素な構成で外装カバー２０１に対する保護カバー２０５の保持力を向上させ、かつ静電気による電気制御部２０４の動作不良の発生を低減させることが可能である。
【００３９】
なお、本実施例では保護カバー２０５を外装カバー２０１に接合する接合部材として弾性をもった爪部２０５ｃと係合部２０１ｃを用いたが、これに限定されるものではない。例えば接合部材として保護カバー２０５に第二の凸部を設け、かつ外装カバー２０１に第二の開口部を設けることで、保護カバー２０５自体をたわませて外装カバー２０１に組み付ける構成などでも、同様の効果を得ることができる。
【００４０】
また、本実施例では付勢部材として、保護カバー２０５の付勢及び静電気対策に導電性を有する板状の弾性部材である接点バネ２０７を用いたが、これに限定されるものではない。例えば、金属製のねじりコイルバネや圧縮バネなど、導電性を持つ別の付勢部材を用いた場合でも同様の効果を得ることができる。
【００４１】
〔他の実施例〕
前述した実施例では、画像形成装置本体１０１に対して着脱可能なプロセスカートリッジを１つ使用しているが、この使用個数は限定されるものではなく、必要に応じて適宜設定すれば良い。
【００４２】
また前述した実施例では、画像形成装置本体に対して着脱可能なプロセスカートリッジとして、感光ドラムと、該感光ドラムに作用するプロセス手段としての帯電手段，現像手段，クリーニング手段を一体に有するプロセスカートリッジを例示した。しかし、これに限定されるものではない。感光ドラムの他に、帯電手段、現像手段、クリーニング手段のうち、いずれか１つを一体に有するプロセスカートリッジであっても良い。
【００４３】
更に前述した実施例では、感光ドラムを含むプロセスカートリッジが画像形成装置本体に対して着脱可能な構成を例示したが、これに限定されるものではない。例えば感光ドラム、これに作用するプロセス手段がそれぞれ組み込まれた画像形成装置、或いは感光ドラム、これに作用するプロセス手段がそれぞれ着脱可能な画像形成装置としても良い。
【００４４】
また前述した実施例では、画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であっても良い。また、記録材担持体を使用し、該記録材担持体に担持された記録材に各色のトナー像を順次重ねて転写する画像形成装置であっても良い。或いは、中間転写体を使用し、該中間転写体に各色のトナー像を順次重ねて転写し、該中間転写体に担持されたトナー像を記録材に一括して転写する画像形成装置であっても良い。これらの画像形成装置に本発明を適用することにより同様の効果を得ることができる。
【符号の説明】
【００４５】
１００ …画像形成装置
１０１ …画像形成装置本体
１０３ …プロセスカートリッジ
２００ …オペレーションパネルユニット
２０１ …外装カバー
２０１ａ …開口部
２０１ｂ …開口部上面
２０１ｃ …係合部
２０２ …表示部
２０３ …操作部
２０４ …電気制御部
２０５ …保護カバー
２０５ａ …凸部
２０５ｂ …接合部
２０５ｃ …爪部
２０６ …両面テープ
２０７ …接点バネ
２０７ａ …付勢部
２０７ｂ …アース接続部
２０７ｃ …延長部
【図１】
2020190668.tif 000003
【図２】
2020190668.tif 000004
【図３】
2020190668.tif 000005
【図４】
2020190668.tif 000006
【図５】
2020190668.tif 000007
【図６】
2020190668.tif 000008
【図７】
2020190668.tif 000009
【図８】
2020190668.tif 000010